(57)【特許請求の範囲】
【請求項１】
固定ワイヤレス端末であって：
トランシーバ；
前記トランシーバに結合された呼処理装置であって、前記呼処理装置は、前記固定ワイヤレス端末において発生するステータス情報を含む、呼処理装置；
前記呼処理装置に結合された電話回線カプリング；
前記呼処理装置に結合されたステータス・プロセッサ；および
前記ステータス・プロセッサおよび前記電話回線カプリングに結合された、発呼者識別シグナリング発生器；
によって構成されることを特徴とする固定ワイヤレス端末。
【請求項２】
前記シグナリング発生器は、音声信号発生器をさらに含むことを特徴とする請求項１記載の固定ワイヤレス端末。
【請求項３】
前記固定ワイヤレス端末において発生する前記ステータス情報は、前記固定ワイヤレス端末における動作状態を示す情報をさらに含むことを特徴とする請求項１記載の固定ワイヤレス端末。
【請求項４】
前記固定ワイヤレス端末において発生する前記ステータス情報は、前記固定ワイヤレス端末を伴うテストの結果を示す情報をさらに含むことを特徴とする請求項１記載の固定ワイヤレス端末。
【請求項５】
固定ワイヤレス端末からステータス情報を報告する方法であって、前記ステータス情報は前記固定ワイヤレス端末内で発生し、前記固定ワイヤレス端末は電話回線カプリングを有する、方法であって：
前記電話回線カプリングを介して受信したステータス情報の要求に応答して、前記ステータス情報を読み出す段階；
発呼者ＩＤ装置上で表示するための発呼者識別大部のフォーマットを有するステータス情報出力信号を生成する段階；および
前記ステータス情報出力信号を前記電話回線カプリングに結合する段階；
によって構成されることを特徴とする方法。
【請求項６】
ステータス情報出力信号を生成する前記段階は、前記電話回線カプリングに結合された電話機を利用して聴くことができるステータス情報出力信号を生成することをさらに含むことを特徴とする請求項５記載の方法。
【請求項７】
ステータス情報出力信号を生成する前記段階は、前記固定ワイヤレス端末における動作状態を表すステータス情報出力信号を生成することをさらに含むことを特徴とする請求項５記載の方法。
【請求項８】
ステータス情報出力信号を生成する前記段階は、前記固定ワイヤレス端末のテストの結果を表すステータス情報出力信号を生成することをさらに含むことを特徴とする請求項５記載の方法。
【請求項９】
固定ワイヤレス端末からステータス情報を報告するシステムであって、前記ステータス情報は前記固定ワイヤレス端末内で発生し、前記固定ワイヤレス端末は電話回線カプリングを有する、システムであって：
前記電話回線カプリングを介して受信したステータス情報の要求に応答して、前記ステータス情報を読み出す手段；
発呼者ＩＤ装置上で表示するための発呼者識別タイプのフォーマットを有するステータス情報出力信号を生成する手段；および
前記ステータス情報出力信号を前記電話回線カプリングに結合する手段；
によって構成されることを特徴とするシステム。
【請求項１０】
ステータス情報出力信号を生成する前記手段は、前記電話回線カプリングに結合された電話機を利用して聴くことができるステータス情報出力信号を生成する手段をさらに含むことを特徴とする請求項９記載のシステム。
【発明の詳細な説明】
（産業上の利用分野）
本発明は、一般に、ワイヤレス通信システムに関し、さらに詳しくは、ワイヤレス・ローカル・ループにおいて動作する固定ワイヤレス端末からのステータス情報を表示あるいは報告するための改善された方法およびシステムに
（背景技術）
ワイヤレス電話システムで採用される多くのセルラ電話は、ローカル・セル・サイトへのアクセス機能など、ステータス情報をユーザに表示するビジュアル・インタフェースを含む。セルラ電話自体に関する他のステータス情報も、セルラ電話のビジュアル・インタフェースおよびディスプレイを介してユーザに報告できる。ただし、ワイヤレス・ローカル・ループ（ＷＬＬ：wireless local loop）内の固定ワイヤレス端末（ＦＷＴ：fixed wireless terminal）に接続された通常の有線電話(wireline telephone)を利用しても、このようなビジュアル・ディスプレイ機能は得られないが、ワイヤレス・ローカル・ループ・システムで利用可能なステータス情報は得られる。
【０００１】
ワイヤレス・ローカル・ループ・システムでは、固定ワイヤレス端末は、ＦＷＴのステータス情報を取得するために容易にアクセスできない場所にある建物または住居に装備される。このようなステータス情報には、アイドル状態またはオンフック状態，サービス・ステータス（例えば、サービス無し，サービス中など），受信信号強度，バッテリ充電またはサービスに影響を及ぼすであろう他の一般的な障害が含まれる。このステータス情報は、ユーザおよび固定ワイヤレス端末設置業者またはトラブルシュータの双方にとって重要であるが、ＦＷＴに接続された通常の電話ではアクセスできない。このようなステータス情報が入手できないと、未知の無線周波数（ＲＦ）またはセルラ・システム問題が存在する場合に、発呼しようと何度も無駄に試みることによって、時間の浪費や不満が生じることがある。さらに、ＦＷＴでの通話中に、有線電話がオフフックすると、上記のステータス情報ならびにハンドオフまたは通話期間(call duration)に関するユーザにとって重要な他の情報も、同様に有線電話からアクセス不能になる。
【０００２】
ＷＬＬにて利用される有線電話でビジュアル・インタフェース機能が欠如していることは、装置のテスト，設置または保守中に固定ワイヤレス端末またはＷＬＬシステムから診断情報またはテスト情報を取り出すことを困難にしている。ある程度、この機能欠如は、テスト・インタフェースを介して固定ワイヤレス端末に直接接続する専用テスト治具または計算機器によって克服でき、ここでテスト信号またはプロンプトが固定ワイヤレス端末に送信され、リードアウト上で応答が観測される。しかし、この直接接続手法は、固定ワイヤレス端末が離れた位置にあり、また建物の脇や屋根裏などアクセスしにくい場所に設置される場合、特に不便である。
【０００３】
上記に鑑み、直接接続テスト治具，面倒な診断装置または他の高価な装置を必要とせずに、便利な位置からＷＬＬにおける固定ワイヤレス端末のステータス情報および動作を監視するための改善された方法および装置が必要とされることは明らかである。
【０００４】
（発明の概要）
上記の問題は、ユーザの電話回線に接続された従来の発呼者ＩＤ装置上でユーザに対してステータス情報を取り出し，フォーマット化し，表示するために、ユーザの電話機に接続された固定ワイヤレス端末におけるステータス処理手段と新規に組み合わせた、音声シグナリング発生器または汎用非同期音声帯域プロトコル（発呼者ＩＤプロトコル）シグナリング発生器を利用することによって解決され、技術的進歩が達成される。
【０００５】
基本動作時に、トランシーバおよび呼処理手段を有する固定ワイヤレス端末は、通常の有線電話をＦＷＴに接続することによってワイヤレス・ローカル・ループを確立する。これにより、音声またはデータ通信のための、セルラ電話システムへのＲＦ電話リンクがユーザに与えられる。好適な実施例では、電話機内のあるいは固定ワイヤレス端末と電話機との間の回線内の標準的な発呼者ＩＤモジュール(caller ID module)は、ステータスまたはテスト情報をユーザに与える手段を便宜的かつ安価に提供する。このようなステータス情報は、電話機上でダイヤル文字の単純なシーケンスを入力するユーザに応答して、要求時に固定ワイヤレス端末内のステータス・プロセッサ(status processor)から得られる。要求されたステータス情報は、この要求が発信された同じ電話回線上で報告される。電話回線カプリングまたはインタフェースと、固定ワイヤレス端末内の呼処理装置(call processor)は、ＦＷＴ内のステータス・プロセッサへのアクセスを可能にするように、ダイヤル信号を復号するために用いられる。ＦＷＴへのアクセスが得られると、ステータス・プロセッサは、利用可能な特定のステータス情報や、ステータス情報を取り出すために必要なダイヤリング・シーケンスに関して、発呼者ＩＤディスプレイ上で有用なプロンプトを提供できる。次に、所望のステータス情報は、ディスプレイ上で、あるいは電話機の受話器で生成されるトーンによって報告される。固定ワイヤレス端末の電話回線インタフェース内のシグナリング発生器は、ステータス・プロセッサによって与えられた情報を、汎用非同期発呼者ＩＤプロトコル(generic, asynchronous caller ID protocol)に従ってＦＳＫまたはＤＴＭＦ信号に符号化し、あるいはシグナリング発生器は、電話受話器を介してシグナリングするための可聴トーン、もしくは電話信号器(telephone ringer)上で呼出信号(ringing signal)を生成するための制御信号を生成できる。
【０００６】
別の実施例では、トランシーバおよび呼処理手段を有し、さらにステータス処理手段，シグナリング発生器手段および電話回線インタフェース手段を有する固定ワイヤレス端末は、発呼者ＩＤインタフェース手段，復号手段および表示手段も含む。本実施例では、電話回線を介して通常の有線電話を固定ワイヤレス端末に結合する以外の他の装置を必要としない。電話機を利用して要求をダイヤルすると、固定ワイヤレス端末は、ＦＷＴに組み込まれた発呼者ＩＤディスプレイ上で読み出されるステータス情報を与えることができる。あるいは、ステータス情報またはテスト情報は、電話機に送信される可聴信号を介して与えられ、テストの結果を報告したり、ステータスを表示することができる。
【０００７】
別の実施例では、ローカル・ループを介して互いに結合された固定ワイヤレス端末および発呼者ＩＤモジュールを組み合わせて有するワイヤレス・ローカル・ループ・システムは、電話機から与えられるような、ローカル・ループ上に存在するダイヤリング・コマンドに応答する。固定ワイヤレス端末内のシグナリング発生器は、出力信号を発生し、この出力信号は、発呼者ＩＤモジュール上での表示や、電話機に結合された可聴信号を介した他の表示のためのステータス情報を含むことができる。
【０００８】
（好適な実施例の説明）
本発明の特徴であると考えられる新規な特長は、特許請求の範囲において規定する。ただし、発明自体、ならびにその好適な利用形態，更なる目的および利点は、添付の図面とともに一例としての実施例の以下の詳細な説明を参照することにより最も理解されよう。
【０００９】
好適な実施例では、本発明は、以下のBellcore社文書において規定されるような発呼者ＩＤプロトコルを利用する。「GR-30-CORE Voiceband Data Transmission Interface」は、ＦＳＫデータ信号を生成するための条件を規定する。文書番号TR-NWT-00031およびTR-NWT-001188は、発呼者ＩＤ通話番号(caller ID calling number)および通話名称(calling name)を実装するための条件をそれぞれ規定する。発呼者ＩＤプロトコルは、発呼前およびアクティブ通話中の両方において、発呼者ＩＤ装置上の接続された固定ワイヤレス端末に関するステータスおよび／またはテストもしくは診断情報を表示するために利用できる汎用非同期音声帯域プロトコルを提供する。なお、本明細書では、「ステータス情報」とは、固定ワイヤレス端末内で設定される動作条件およびパラメータを表し、さらにテストまたは診断手順の「結果」であって、このテストによって生じる「ステータス情報」とみなすことができる結果を表すことに留意されたい。
【００１０】
図１は、ワイヤレス通信チャネル上で一般電話交換網（ＰＳＴＮ）と通信するワイヤレス・ローカル・ループ（ＷＬＬ）システム１０を示す。ＷＬＬ１０は、アンテナ１９および電話回線１８に接続された固定ワイヤレス端末（ＦＷＴ：fixed wireless terminal）１２を含む。また、電話回線１８には、発呼者ＩＤモジュール１４および電話機１６が接続される。電話回線１８への接続は、ＲＪ−１１の名称として知られるものなど、標準的なコネクタ（図示せず）を利用して行われる。発呼者ＩＤモジュール１４は、消費者に利用可能な典型的な装置であり、通話番号や、おそらく通話名情報、もしくは他の同様に符号化された情報を表示するためのディスプレイを具備する。
【００１１】
基地電話局（ＢＴＳ：Base Telephone Station）２２と、それに関連するアンテナ２９は、ＷＬＬ１０が動作する環境を示すために、信号経路２６を介してＰＳＴＮ２４に結合して示されている。これらの装置，ＢＴＳ２２、アンテナ２９，信号経路２６およびＰＳＴＮ２４は、当技術分野で周知であり、以下ではさらに詳しく説明しない。同様に、電話機１６，発呼者ＩＤモジュール１４，電話回線１８およびアンテナ１９など、図１における他の標準的な装置は、標準的で周知な項目であり、さらに詳しく説明しない。
【００１２】
好適な実施例では、固定ワイヤレス端末１２が発呼前にアイドル状態であり、かつ電話機１６がオンフックのとき、発呼者ＩＤモジュール１４へのデータ伝送経路は電話回線１８上で確立できる。従って、有用なステータス情報は、呼を発呼する前に、発呼者ＩＤモジュール１４上で表示できる。一例として、次のような種類のステータス情報を表示できる：サービス・ステータス，すなわち、サービス無しまたはサービス中；受信信号強度表示（ＲＳＳＩ：received signal strength indication）；バッテリ不足(low-battery)表示；システム・テスト結果；または任意の他の一般的な障害または性能情報。
【００１３】
同様に、図１のＷＬＬシステム１０は、固定ワイヤレス端末１２が通話状態で、電話機１６がオフフックの最中に、通話時に発呼ＩＤモジュール１４へのデータ伝送経路を確立するために利用できる。一例としては、表示できる通話状態のステータス情報の種類には、サービス・ステータス，ハンドオフ情報，通話期間，バッテリ不足または他の一般的な障害もしくは性能情報が含まれる。
【００１４】
別の動作モードでは、ＷＬＬシステム１０の機能は、固定ワイヤレス端末１２からテスト・データまたは診断もしくは監視表示を取り出すために、メンテナンス，保守または修理中に利用できる。このステータス情報は、電話機１６のキーパッドまたは回転ダイヤル上で符号化されたダイヤリング・シーケンスを入力し、次に発呼者ＩＤモジュール１４上で要求されたステータス情報または更なる指示プロンプトを表示させることによって取得できる。テストおよび診断手順に関連するステータス情報の例には、診断手順の結果，障害個所，監視レジスタの累算値など含まれるが、それらに限定されない。また、ステータス情報は、固定ワイヤレス端末１２で生成され、かつ電話機１６の受話器で再生されるトーンまたは音声信号の形式で、他の出力表示とともに報告できる。また、呼出信号の形式の他の出力信号も固定ワイヤレス端末において生成して、電話機１６に結合して、ステータス情報を報告できる。
【００１５】
図２は、本発明を具現するＷＬＬシステムの機能ブロック図を示す。図示のように、固定ワイヤレス端末２００は、アンテナ２１４によってＲＦ通信チャネル（図示せず）に結合され、またカプリング２０２によって電話回線２２１に結合される。ローカル・ループ・インタフェースを提供し、かつステータス情報シグナリング・ポートを提供するという二重の役割を果たすカプリング(接続装置２０２は、一例としてＲＪ１１コネクタおよびローカル・ループ電気回路でもよい。同様に、電話回線２２１は、上記のＲＪ−１１タイプのコネクタなど標準的な電話回線ケーブルおよびコネクタ（コネクタは図示せず）を利用して、発呼者ＩＤモジュール２２２および電話２２０に結合してもよい。アンテナ２１４，カプリング２０２および他のコネクタは当技術分野で周知であり、さらに詳しく説明しない。
【００１６】
図２に示す固定ワイヤレス端末２００では、経路２０７を介して結合されたトランシーバ２１０および呼処理装置２０８は、ワイヤレス・セルラ電話の周知の要素である。呼処理装置２８０の機能は、基地電話局（ＢＴＳ）２２との通信を確立・維持し、呼を開始・終了し、音声およびデータを符号化・復号し、選択された多元接続プロトコルに準拠し、またセルラ通信システムにおける加入者装置で一般に実施される他の同様な機能を含む。いくつかの種類のワイヤレス電話技術が現在利用されているが、その詳細は当業者に周知であるので、これらの技術についてさらに詳しく説明しない。一例として、本発明はＣＤＭＡ（符号分割多元接続：Code Division Multiple Access）固定ワイヤレス端末で実施できる。ただし、本発明は特定の形式の多元接続またはスペクトル利用技術に制限されない。
【００１７】
図示のように、呼処理装置２０８は、ステータス情報２１８を含む。このようなステータス情報は、メモリまたはレジスタもしくは他の格納デバイスに格納でき、動作状態およびパラメータ，被監視パラメータ，テスト結果などを含んでもよい。
【００１８】
図２に戻って、経路２０７上で伝達される信号は、音声またはデータ信号，制御信号などを含むことがある。音声経路２０１は、呼処理装置２０２とカプリング２０２との間の音声，データおよび制御信号の双方向結合を示す。
【００１９】
また、カプリング２０２と呼処理装置２０８との間には、電話回線２２１上で固定ワイヤレス端末２００によって受信されるＤＴＭＦ(dual-tone-multi-frequency)またはパルス・ダイヤリング信号を検出・復号するためのダイヤリング・デコーダ２０４が接続される。ダイヤリング信号は、経路２０３上でダイヤリング・デコーダ２０４に結合され、復号されたダイヤリング・データは経路２０５上で呼処理装置２０８に結合される。ある実施例では、ダイヤリング・デコーダ２０４は、特に呼処理装置２０８がデジタル信号プロセッサ上のソフトウェアで主に実装される場合には、呼処理装置２０８の一部として実装してもよい。
【００２０】
呼処理装置２０８は、データ信号経路２１３，シグナリング発生器２０６，出力信号経路２０９およびカプリング２０２を介して電話回線２２１にさらに結合される。呼処理装置２０８によって、あるいは以下で説明するステータス・プロセッサ２１２によって送信されるデータは、シグナリング発生器２０６において変調するために符号化され、表示または他の報告のために出力信号として電話回線２２１上で与えられる。
【００２１】
図２の説明をさらに続けると、ステータス・プロセッサ２１２は、信号経路２１９および信号経路２１５上でトランシーバ２１０をデータ・エンコーダ２６に結合することが示されている。また、ステータス・プロセッサ２１２は、双方向信号経路２１７上で呼処理装置２０８と相互動作する。
【００２２】
最後に、ダイヤリング・デコーダ２０４は、信号経路２１１を介してステータス・プロセッサ２１２にも結合される。ステータス・プロセッサ２１２は、呼処理装置２０８の制御下で多数の機能を実行する。これらの機能には、セットアップ中に利用される特定の呼処理パラメータの監視および格納，他の局との通信の受信および送信が含まれるが、それらに限定されない。固定ワイヤレス端末２００自体の確実な動作に伴う他のパラメータは、動作時に監視して、要求時に報告するために格納できる。
【００２３】
前述のように、診断テスト手順は、特定の動作状態中に、あるいはメンテナンス，保守または修理中に、要求に応じて開始できる。このようなステータス情報またはテスト・データはいずれも、シグナリング発生器２０６に伝送するためステータス・プロセッサ２１２内で抽出し、フォーマット化できる。本発明では、例えば、ステータス・プロセッサ２１２がダイヤリング・デコーダ２０４からの特定のダイヤリング信号に応答して、追加ステータス情報および／またはテスト・データを生成する。このステータス情報は、発呼者ＩＤディスプレイ装置に結合するための発呼者ＩＤ信号としてシグナリング発生器２０６により符号化したり、あるいは電話機２２０において可聴応答を生成するための信号として符号化できる。なお、カプリング２０２，ダイヤリング・デコーダ２０４，シグナリング発生器２０６およびそれらの関連信号経路はともに、図２の固定ワイヤレス端末２００内の点線の左下に示される電話回線インタフェース２１６として機能することを、上記の説明から理解されたい。
【００２４】
ここで図３を参照して、本発明で利用できるようなシグナリング発生器２０６の一構成を示す。一般に、シグナリング発生器２０６は、本発明で使用するために選ばれた特定の固定ワイヤレス端末２００に応じて、文字またはトーン発生機能および変調機能を有する。ある実施例では、いくつかの文字またはトーン発生器ブロックが必要なことがある。例えば、図３では、シグナリング発生器２０６は、一次文字発生器(primary character generator)２３２の他に、発呼者ＩＤ文字発生器２３４および変調器２３０を含む。信号経路２１３，２１５，２３１，２３３，２０９は、図３に示すように機能ブロックを相互接続することが示されている。一次文字発生器２３２は、一例として、ＡＳＣＩＩ文字発生器，シグナリング・トーン発生器，ＵＡＲＴ(universal asynchronous receiver/transmitter)または変調および図２の電話回線への結合のためにデジタル・データの形式を変更するための他の装置を含んでもよい。また、一次文字発生器２３２は、呼出信号(ringing signal)を発生してもよい。図３で説明した上記の実施例は図示のために提示したものであり、当業者に周知なように他の構成を制限するものではないことを理解されたい。
【００２５】
なお、本発明は、表示文字またはシンボルなどの帯域外データ(out-of-band data)として、あるいは可聴トーンまたは呼出信号などの帯域内信号(in-band signals)として、ステータス情報またはテスト結果のシグナリングまたは報告を想定することに留意されたい。いずれの構成または両方の構成は、同じ構成で提供できる。さらに、本発明は、ステータス情報の要求の開始と、このようなステータス情報の報告，指示または表示の両方について、同じ電話回線またはポートを利用することを想定する。
【００２６】
次に、本発明に従って動作するＷＬＬシステムの機能フロー図を示す図４について、図２および図３に示す装置とともに説明する。ブロック３０２においてプロセス・フローに入ると、フローは判定ブロック３０４，３０６，３０８，３１０に進み、ＦＷＴの動作状態を判定する。このような動作状態は、アイドル(Idle) ３０４，テスト要求(Test Requested)３０６，通話進行中(Call In Progress)３０８および着呼(Incoming Call)３１０として記される。これらの動作状態のどれかが判定ブロックの隣の「Ｙ」によって記されるように肯定されると、動作フローは処理ステップに進み、次にフォーマット化ステップに進んで、処理ステップからのステータス情報をフォーマット化する。次に、出力信号が生成され、電話回線に結合され、プロセスはブロック３０４の動作状態シーケンスの開始に戻る。
【００２７】
ブロック３０４に示すように、固定ワイヤレス端末がアイドル状態の場合、選択されたステータス情報は表示されるか、報告される。このような選択されたステータス情報は、ブロック３１２に示すように、連続的に監視して読み出すことができる。このようなステータス情報は、サービス・ステータス（例えばサービス中またはサービス外），バッテリ不足，ＲＳＳＩ，もしくはオンフックで監視できる他の一般的な障害または状態表示など、システムパラメータを含むことができる。
【００２８】
次に、被監視ステータス情報は、ブロック３２０に示すように、カプリング２０２を介して報告するためにフォーマット化される。次に、ブロック３２２において出力信号が生成され、このような出力信号は、ブロック３２４に示すように電話回線に結合される。同じ一般的なプロセス・フローは、合成音声，可聴トーン，呼出信号などのような他の信号を介して、電話回線上でテスト結果を報告または表示するために用いられる。
【００２９】
フォーマット化プロセス・ステップ３２０において、ステータス情報は解読され、フォーマット化されてから、発呼者ＩＤ信号として表示したり、あるいは可聴信号を介して報告される。プロセス・ステップ３２２において、図３のシグナリング発生器２０６内の発呼者ＩＤ文字発生器２３４は、図２に示すように電話回線２２１上で送信するために、フォーマット化されたステータス情報を文字データまたは表示データ、もしくは可聴報告信号に符号化・変調することにより、出力信号を生成する。出力信号は、電話回線２０２（図２）へのカプリングにより、プロセス・ステップ３２４（図４）において電話回線２２１に結合される。
【００３０】
図４のブロック３０６で判定されるように、固定ワイヤレス端末がテスト要求(Test Request)の入力に応答する場合、ステータス・プロセッサ２１２は要求されたテストを開始し、要求されたデータの表示を行わせる。このようなテスト要求は、電話機２２０を利用してユーザもしくはサービス担当者によって入力でき、上記のようにさまざまな診断テストのいずれかを含むことができる。テストを開始もしくはステータス情報を要求する場合、電話機２２０上で専用の番号シーケンスをダイヤルすることによって、固定ワイヤレス端末に要求を入力できる。読み出しまたは再度表示する情報の呼出は、上記のように進む。
【００３１】
固定ワイヤレス端末が呼出進行中(Call-In-Progress)動作状態３０８である場合、固定ワイヤレス端末は、電話機がオフフック中に、特定の呼パラメータを監視でき、この場合、ステータス・プロセッサ２１２は、上記のように監視および読み出しを実行することによって応答する。
【００３２】
ブロック３１０で判定されるように、固定ワイヤレス端末が着呼(Incoming Call)を受信中の場合、通常の発呼者ＩＤ機能が起動され、上記と同じようにプロセス・ステップ３１８，３２０，３２２，３２４において実施される。
【００３３】
動作時に、本発明は、通常および特殊な監視または診断シーケンスの両方から生じたステータスおよびテスト情報を通信するため、発呼者ＩＤプロトコルを利用して特殊なシグナリングをさらに提供できる。特に、このような特殊なシグナリングには、オンフック送信の前にあるオープン・スイッチ期間(Open Switch Interval)中に生じるシグナリングや、オフフック送信の前に必要とされるＣＡＳ(Customer Premises Equipment Alerting Signal)が含まれる。本発明の他の特長には、例えば、パスワード入力の実施またはＤＴＭＦまたはパルス・ディジット(pulse digit)検出および復号によるテスト・コマンド・パーサ(test command parser)の実施や、ＦＷＴに結合された電話回線上で帯域外データ・シグナリングまたは帯域内可聴信号を介して適切なテスト・コマンドを呼び出したり、結果を送信することを含む。また、ステータスまたはテスト情報は、例えば、ＦＷＴ動作シーケンスにおけるステップの一部として呼処理装置２０８によって要求できることが想定され、この要求は上記のように特にユーザによって開始されない。
【００３４】
本発明の好適な実施例の上記の説明は、図説のために提示されたものである。これは包括的であったり、本発明を開示された厳密な形式に制限するものではない。上記の教示に鑑み、修正および変形例が可能である。本発明の原理およびその実際的な応用を最良に説明し、また当業者がさまざまな実施例において、想定される特定の用途に適したさまざまな修正にて本発明を利用できるように、実施例を選び、説明した。かかる一切の修正および変形例は、公正、合法的かつ正当な権限のある範囲に基づいて解釈したときに、特許請求の範囲によって決まる発明の範囲内である。
【図面の簡単な説明】
【図１】  ワイヤレス通信チャネルを介して一般電話交換網と通信するワイヤレス・ローカル・ループ・システムを示す。
【図２】  本発明によるワイヤレス・ローカル・ループ・システムの機能ブロック図を示す。
【図３】  図２の固定ワイヤレス端末のシグナリング発生器部分の機能ブロック図を示す。
【図４】  本発明に従って動作する固定ワイヤレス端末システムの機能フロー図を示す。
【図１】
0004149131.tif 000002
【図２】
0004149131.tif 000003
【図３】
0004149131.tif 000004
【図４】
0004149131.tif 000005